【事件の表示】
　特許第２７０３３１５号「用紙綴じ装置」の請求項１ないし２に係る特許に対する特許異議の申立てについて、次のとおり決定する。
【結論】
　訂正を認める。
　特許第２７０３３１５号の請求項１ないし２に係る特許を維持する。
【理由】
１．手続の経緯
　本件特許第２７０３３１５号についての手続の経緯の概要は次のとおりである。
　特許出願　平成１年２月２１日
　特許権設定登録　平成９年１０月３日
　特許異議申立て　平成１０年７月２７日
　取消理由通知　平成１０年１０月９日付け
　訂正請求　平成１０年１２月２４日
　特許異議意見書　平成１０年１２月２４日
　訂正拒絶理由通知　平成１１年４月１５日付け
　訂正請求書の補正　平成１１年７月１９日
　特許異議意見書　平成１１年７月１９日
２．訂正の適否についての判断
（１）訂正請求書の補正について
　平成１１年７月１９日付けの手続補正書による補正は、平成１０年１２月２４日付けの訂正請求書に添付した訂正明細書における請求項１を削除し、請求項２を新たな請求項１とするとともに、駆動手段が「夫々」設けられていることに、「所定位置」を「指定された綴じ位置」に、「該一方に対応した位置」を「前記位置決め部材による該一方に対応した綴じ位置」に、「位置決めする」を「位置決めし、その後に綴じるべき用紙を前記ステイプラ本体と前記クランチ部との間に送り移動する」にそれぞれ限定するものであり、また、それに伴う明細書の明りょうでない記載を訂正するものである。
　したがって、当該補正は、上記訂正請求の要旨を変更するものでなく、特許法第１２０条の４第３項において準用する同法第１３１条第２項の規定に適合する。
（２）訂正の概要
　前記訂正請求は、本件特許に係る願書に添付した明細書（以下「本件特許明細書」という。）を訂正請求書に添付し、上記手続補正書により補正した訂正明細書（以下「本件訂正明細書」という。）のとおり訂正することを求めるものであり、その訂正の概要は次のとおりである。
　ア．訂正事項１
　特許請求の範囲の請求項１を削除する。
　イ．訂正事項２
　特許請求の範囲の請求項２を新たな請求項１とするとともに、「ステイプル針を収容する収容部と、ステイプル針を１本宛押し出す押出部と、ステイプル針の先端を曲げるクランチ部とを有する用紙綴じ装置にして、前記収容部と押出部とを有するステイプラ本体と、前記クランチ部とが夫々別個の部材として形成され、且つ用紙送り方向に直交する方向で摺動可能なように平行案内軸に夫々個別に支持されている用紙綴じ装置において、前記ステイプラ本体と前記クランチ部とに、前記平行案内軸に沿って移動するための駆動手段が夫々設けられ、ステイプラ本体とクランチ部に相対位置決めのための位置決め部材が設けられ、一方を指定された綴じ位置に停止させてから他方を前記位置決め部材による該一方に対応した綴じ位置に停止させて位置決めし、その後に綴じるべき用紙を前記ステイプラ本体と前記クランチ部との間に送り移動することを特徴とする用紙綴じ装置。」と訂正する。
　ウ．訂正事項３
　特許請求の範囲の請求項３を新たな請求項２とするとともに、「前記位置決め部材が発光部と受光部により形成され、用紙綴じ装置内に紙が挿入されたことを検知するための用紙検知センサとしても兼用されることを特徴とする請求項１に記載の用紙綴じ装置。」と訂正する。
　エ．訂正事項４
　本件特許明細書第３頁第１０〜１２行（特許掲載公報第３欄第１５〜１７行）の「いつでも……用紙綴じ装置を提供する」を、「いつでもどの位置にでも簡単な操作で用紙を綴じることができ、それにもかかわらず組み立て時に装置の各部品の組み付け精度を厳格に要求されない用紙綴じ装置を提供する」と訂正する。
　オ．訂正事項５
　本件特許明細書第８頁第１５〜第４第第２行（特許掲載公報第３欄第１９〜２６行）の「ステイプル針を……用紙綴じ装置により」を、「ステイプル針を収容する収容部と、ステイプル針を１本宛押し出す押出部と、ステイプル針の先端を曲げるクランチ部とを有する用紙綴じ装置にして、前記収容部と押出部とを有するステイプラ本体と、前記クランチ部とが夫々別個の部材として形成され、且つ用紙送り方向に直交する方向で摺動可能なように平行案内軸に夫々個別に支持されている用紙綴じ装置において、前記ステイプラ本体と前記クランチ部とに、前記平行案内軸に沿って移動するための駆動手段が夫々設けられ、ステイプラ本体とクランチ部に相対位置決めのための位置決め部材が設けられ、一方を指定された綴じ位置に停止させてから他方を前記位置決め部材による該一方に対応した綴じ位置に停止させて位置決めし、その後に綴じるべき用紙を前記ステイプラ本体と前記クランチ部との間に送り移動することを特徴とする用紙綴じ装置により」と訂正する。
　カ．訂正事項６
　本件特許明細書第１０頁第９〜１０行（特許掲載公報第欄第３８〜３９行）の「次いで又はステイプラ本体２の移動と若干遅れて第２モータ３２により」を、「次いで第２モーク３２により」と訂正する。
　キ．訂正事項７
　本件特許明細書第１４頁第６行（特許掲載公報第７欄第６行）の「の低減に役立つ。」の後に、「更に本発明により、組み立て時には装置の各部品の組み付け精度を高くしなくてもすむし、また一方の移動を完了してから他方の移動を行わせるようにしたので、両者の相対的な位置合わせを正確・確実にし、それによって一層確実に綴じ動作を行わせることができる。」を挿入する。
（３）訂正の目的の適否、新規事項の有無及び拡張・変更の存否
　上記訂正事項１は、請求項１を削除するもので、特許請求の範囲の減縮を目的とするものに該当する。
　訂正事項２は、請求項２を引用形式から独立形式に代えて新たな請求項１とするとともに、駆動手段が「夫々」設けられていることに、「ステイプラ本体とクランチ部に相対位置決めのための位置決め部材が設けられている」を「ステイプラ本体とクランチ部に相対位置決めのための位置決め部材が設けられ、一方を指定された綴じ位置に停止させてから他方を前記位置決め部材による該一方に対応した綴じ位置に停止させて位置決めし、その後に綴じるべき用紙を前記ステイプラ本体と前記クランチ部との間に送り移動する」にそれぞれ限定するものであり、特許請求の範囲の減縮を目的とするものに該当する。
　これらの事項は、本件特許明細書の第１０頁第３〜１６行等の記載に基づくもので新規事項を追加するものでなく、特許請求の範囲を拡張又は変更するものでもない。
　また、訂正事項３〜７は、訂正事項１、２による訂正に伴い、明細書の記載を整合させるための明りょうでない記載の釈明を目的とするものに該当し、新規事項を追加するものでなく、特許請求の範囲を拡張又は変更するものでもない。
（４）独立特許要件の判断
　特許請求の範囲の減縮を目的とした訂正に係る本件訂正明細書の請求項１に係る発明（以下「本件訂正後の発明１」という。）について、以下に独立特許要件を検討する。
　ア．本件訂正後の発明１
　本件訂正後の発明１は、本件訂正明細書の記載からみて、本件訂正明細書の特許請求の範囲の請求項１に記載された前記（２）イのとおりのものと認められる。
　イ．訂正拒絶理由の概要
　一方、当審において通知した訂正拒絶理由の概要は、平成１０年１２月２４日付け訂正請求書に添付した訂正明細書の請求項１、２に係る発明は、特開昭５８−３６４９６号公報（特許異議申立人提出の甲第１号証、以下「引用文献１」という。）に記載された発明に基づき当業者が容易に発明をすることができたものであるから、出願時に独立して特許を受けることができないというにある。
　ウ．訂正拒絶理由についての判断
　そこで、本件訂正後の発明１に対して、上記訂正拒絶理由について検討する。
　先ず、上記引用文献１には、次の事項が記載されている。
　ウ−１．引用文献１に記載の発明
　用紙綴じ装置であって、ワイヤーリールと突矢板とクリンチャ部を有しており、突矢板を備える本体部とクリンチャ部が夫々別個の部材で形成され、それらは、用紙送り方向と直交する方向の移動軸に夫々個別に摺動可能に支持され、本体部とクリンチャ部とは、それぞれの移動軸の回転により摺動し、各移動軸はチェーンで同期駆動され、所定位置に設定された後に、綴じるべき用紙が本体部とクリンチャ部との間に送られて、綴じ動作がなされる用紙綴じ装置。
　ウ−２．対比、判断
　本件訂正後の発明１は、ステイプラ本体とクランチ部に相対位置決めのための位置決め部材が設けられており、一方を指定された綴じ位置に停止させてから他方を前記位置決め部材による該一方に対応した綴じ位置に停止させて位置決めするものであるのに対し、引用文献１に記載された発明では、チェーンにより同期駆動される移動軸の回転で、本体部とクランチ部に相当するクリンチャ部とは、常に機械的に連携して移動されるものである。
　そのため、本件訂正後の発明１においては、ステイプラ本体とクランチ部のうちの一方を指定位置に設定すれば、他方は位置決め部材によって、対応した位置に正確に位置合わせがなされるもので、引用文献１に記載された発明のように、機械的な連携部分に影響されることがないものである。
　したがって、本件訂正後の発明１が、引用文献１に記載された発明に基づき、容易に発明をすることができたものとすることはできない。
　エ．以上から、本件訂正後の発明１は、特許出願の際に独立して特許を受けることができるものである。
（５）むすび
　以上のとおりであるから、上記訂正請求は、特許法等の一部を改正する法律（平成６年法律第１１６号）附則第６条第１項の規定によりなお従前の例とされる、特許法第１２０条の４第２項及び同条第３項で準用する同法第１２６条第２〜４項の規定に適合するので、当該訂正を認める。
３．特許異議の申立てについての判断
（１）申立ての理由の概要
　特許異議申立人・マックス株式会社は、甲第１号証を提出し、本件特許明細書の請求項１、２に係る発明は、甲第１号証刊行物に記載された発明に基づき当業者が容易に発明をすることができたものであって、本件請求項１、２に係る特許は、特許法第２９条第２項の規定に違反してなされたもので取り消されるべきものであると主張している。
（２）判断
　そこで検討すると、本件特許明細書における特許請求の範囲は、前述のとおり訂正されるものであり、本件訂正後の発明１については、前記２．（４）ウにおいて述べたように、特許異議申立人が甲第１号証として提出した引用文献１に記載された発明から容易に発明をすることができたものとは言えない。
　また、本件訂正明細書の請求項２に係る発明（以下「本件訂正後の発明２」という。）は、本件訂正後の発明１をさらに限定したものであるから、同様の理由により、特許異議申立人が甲第１号証として提出した引用文献１に記載された発明から容易に発明をすることができたものとは言えない。
４．むすび
　以上のとおりであるから、特許異議申立ての理由及び証拠によっては、本件請求項１及び２に係る特許を取り消すことはできない。
　また、他に本件請求項１及び２に係る特許を取り消すべき理由を発見しない。
　よって、結論のとおり決定する。
【異議決定日】
平成１１年８月９日（１９９９．８．９）
【訂正の要旨】
　訂正の要旨
　ア．訂正事項１
　特許請求の範囲の減縮を目的として、特許請求の範囲の請求項１を削除する。
　イ．訂正事項２
　特許請求の範囲の請求項２を新たな請求項１とするとともに、特許請求の範囲の減縮を目的として、「ステイプル針を収容する収容部と、ステイプル針を１本宛押し出す押出部と、ステイプル針の先端を曲げるクランチ部とを有する用紙綴じ装置にして、前記収容部と押出部とを有するステイプラ本体と、前記クランチ部とが夫々別個の部材として形成され、且つ用紙送り方向に直交する方向で摺動可能なように平行案内軸に夫々個別に支持されている用紙綴じ装置において、前記ステイプラ本体と前記クランチ部とに、前記平行案内軸に沿って移動するための駆動手段が夫々設けられ、ステイプラ本体とクランチ部に相対位置決めのための位置決め部材が設けられ、一方を指定された綴じ位置に停止させてから他方を前記位置決め部材による該一方に対応した綴じ位置に停止させて位置決めし、その後に綴じるべき用紙を前記ステイプラ本体と前記クランチ部との間に送り移動することを特徴とする用紙綴じ装置。」と訂正する。
　ウ．訂正事項３
　特許請求の範囲の請求項３を新たな請求項２とするとともに、明りょうでない記載の釈明を目的として、「前記位置決め部材が発光部と受光部により形成され、用紙綴じ装置内に紙が挿入されたことを検知するための用紙検知センサとしても兼用されることを特徴とする請求項１に記載の用紙綴じ装置。」と訂正する。
　エ．訂正事項４
　本件特許明細書第３頁第１０〜１２行（特許掲載公報第３欄第１５〜１７行）の「いつでも……用紙綴じ装置を提供する」を、明りょうでない記載の釈明を目的として、「いつでもどの位置にでも簡単な操作で用紙を綴じることができ、それにもかかわらず組み立て時に装置の各部品の組み付け精度を厳格に要求されない用紙綴じ装置を提供する」と訂正する。
　オ．訂正事項５
　本件特許明細書第８頁第１５〜第４第第２行（特許掲載公報第３欄第１９〜２６行）の「ステイプル針を……用紙綴じ装置により」を、明りょうでない記載の釈明を目的として、「ステイプル針を収容する収容部と、ステイプル針を１本宛押し出す押出部と、ステイプル針の先端を曲げるクランチ部とを有する用紙綴じ装置にして、前記収容部と押出部とを有するステイプラ本体と、前記クランチ部とが夫々別個の部材として形成され、且つ用紙送り方向に直交する方向で摺動可能なように平行案内軸に夫々個別に支持されている用紙綴じ装置において、前記ステイプラ本体と前記クランチ部とに、前記平行案内軸に沿って移動するための駆動手段が夫々設けられ、ステイプラ本体とクランチ部に相対位置決めのための位置決め部材が設けられ、一方を指定された綴じ位置に停止させてから他方を前記位置決め部材による該一方に対応した綴じ位置に停止させて位置決めし、その後に綴じるべき用紙を前記ステイプラ本体と前記クランチ部との間に送り移動することを特徴とする用紙綴じ装置により」と訂正する。
　カ．訂正事項６
　本件特許明細書第１０頁第９〜１０行（特許掲載公報第欄第３８〜３９行）の「次いで又はステイプラ本体２の移動と若干遅れて第２モータ３２により」を、明りょうでない記載の釈明を目的として、「次いで第２モーク３２により」と訂正する。
　キ．訂正事項７
　本件特許明細書第１４頁第６行（特許掲載公報第７欄第６行）の「の低減に役立つ。」の後に、明りょうでない記載の釈明を目的として、「更に本発明により、組み立て時には装置の各部品の組み付け精度を高くしなくてもすむし、また一方の移動を完了してから他方の移動を行わせるようにしたので、両者の相対的な位置合わせを正確・確実にし、それによって一層確実に綴じ動作を行わせることができる。」を挿入する。
（５４）【発明の名称】
用紙綴じ装置
（５７）【特許請求の範囲】
（１）ステイプル針を収容する収容部と、ステイプル針を１本宛押し出す押出部と、ステイプル針の先端を曲げるクランチ部とを有する用紙綴じ装置にして、
　前記収容部と押出部とを有するステイプラ本体と、前記クランチ部とが夫々別個の部材として形成され、且つ用紙送り方向に直交する方向で摺動可能なように平行案内軸に夫々個別に支持されている用紙綴じ装置において、
　前記ステイプラ本体と前記クランチ部とに、前記平行案内軸に沿って移動するための駆動手段が夫々設けられ、ステイプラ本体とクランチ部に相対位置決めのための位置決め部材が設けられ、一方を指定された綴じ位置に停止させてから他方を前記位置決め部材による該一方に対応した綴じ位置に停止させて位置決めし、その後に綴じるべき用紙を前記ステイプラ本体と前記クランチ部との間に送り移動することを特徴とする用紙綴じ装置。
（２）前記位置決め部材が発光部と受光部により形成され、用紙綴じ装置内に紙が挿入されたことを検知するための用紙検知センサとしても兼用されることを特徴とする請求項１に記載の用紙綴じ装置。
【発明の詳細な説明】
〔産業上の利用分野〕
　本発明は、ステイプラ、詳しくは複写機、印刷機等に付設し、搬入される複写又は印刷された用紙を綴じる用紙綴じ装置に関するものである。
〔従来技術〕
　複写機により複写された用紙や印刷機により印刷された用紙を付属のステイプラにより綴じることは従来行われている。
　従来のステイプラは第６図に示すようにステイプル針を押し出す押出部５１と、ステイプル針の先端を曲げるクランチ部５２とが回転支点５３により互いに揺動可能に枢着されているか、押出部とクランチ部とが一体に形成されている。従来のステイプラでは用紙を挿入する深さが限定されるため、用紙に対する綴じ位置が限定され、例えば第７図ａに示すように用紙５４０１つの縁からある限定された距離の間の位置で、その縁に沿って複数個所綴じたり、第７図ｂに示すように用紙のコーナー部分を綴じることはできるが用紙の中程では綴じることは出来ない。
　従って複写機や印刷機から排出される用紙とステイプラの相対位置関係によっては、用紙を綴じようとする位置から遠く離れた縁にステイプラが対向するような場合が生じ、このような場合は用紙を左右反転しなければ綴じられないという不便さがあった。
〔発明が解決しようとする課題〕
　本発明は、従来の上記の問題点を解消し、いつでもどの位置にでも簡単な操作で用紙を綴じることができ、それにもかかわらず組み立て時に装置の各部品の組み付け精度を厳格に要求されない用紙綴じ装置を提供することを課題としている。
〔課題を解決するための手段〕
　本発明は、上記の課題を、ステイプル針を収容する収容部と、ステイプル針を１本宛押し出す押出部と、ステイプル針の先端を曲げるクランチ部とを有する用紙綴じ装置にして、前記収容部と押出部とを有するステイプラ本体と、前記クランチ部とが夫々別個の部材として形成され、且つ用紙送り方向に直交する方向で摺動可能なように平行案内軸に夫々個別に支持されている用紙綴じ装置において、前記ステイプラ本体と前記クランチ部とに、前記平行案内軸に沿って移動するための駆動手段が夫々設けられ、ステイプラ本体とクランチ部に相対位置決めのための位置決め部材が設けられ、一方を指定された綴じ位置に停止させてから他方を前記位置決め部材による該一方に対応した綴じ位置に停止させて位置決め位置決めし、その後に綴じるべき用紙を前記ステイプラ本体と前記クランチ部との間に送り移動することを特徴とする用紙綴じ装置により解決した。
〔作用〕
　本発明により、ステイプル針を収容する収容部とステイプル針を押出す押出部とを有するステイプラ本体がステイプル針の先端を曲げるクランチ部とは別個に形成され、且つ別個に互に平行な案内棒により支持され、別個に移動可能である。
　別個に移動されるステイプラ本体とクランチ部とは用紙に対する綴じ位置では位置決め部材、例えばストッパ等の機械的位置決め部材や、発光部と受光部とよりなる光学的位置決め部材等により相対位置合わせが行われる。
　用紙の送り方向における送り調節により、用紙の端縁から綴じ位置までの距離が調節され、ステイプラ本体とクランチ部の案内棒に沿っての移動により用紙の送り方向に対して直交する方向の綴じ位置の調節を行うことができる。
　本発明により、用紙のステイプラ本体に対する相対位置は自由にどこにでも設定することができ、用紙の送り量とステイプラ本体及びクランチ部の移動量を制御することにより任意の位置に自由に綴じを行うことが可能になり、用紙を左右反転したりする作業が不要である。
〔実施例〕
　本発明の詳細を図に示す実施例に基づいて説明する。
　第１図及び第２図において、用紙綴じ装置たるステイプラ１はステイプラ本体２とクランチ部３とを有し、ステイプラ本体２とクランチ部３とは別個の部材として形成される。ステイプラ本体２は第１案内棒４に、クランチ部３は第２案内棒５に摺動可能に支持され、第１案内棒４と第２案内棒５は互いに平行に配置される。したがってステイプラ本体２とクランチ部３は互いに平行に相対移動する。
　ステイプラ１により綴じるべき用紙６は、クランチ部３とステイプラ本体２との間を送り移動され、然も案内棒４，５に沿ったステイプラ本体２とクランチ部３の移動方向とは直交する方向に送り移動されることができる。
　ステイプラ本体２とクランチ部３とは別個の部材として形成され、別個に移動可能であるので、用紙に対する綴じ位置ではステイプラ本体２とクランチ部３とは相対位置合わせをしなければならない。このため位置決め部材７が設けられる。第１図及び第２図では位置決め部材はステイプラ本体２に取付けられた受光部７ａとクランチ部３に取付けられた発光部７ｂとにより構成される光学的位置決め部材よりなる。しかし位置決め部材は必要によっては衝当面とストッパレバのような機械的位置決め部材として構成されることもできる。
　ステイプラ１を、複写機より送り出される複写紙を綴じる場合等の具体的な例を第３図により説明する。
　ステイプラ本体２は支軸８によりブラケット９に上下揺動自在に支持され、ブラケット９は機枠４３に固定された２本の第１案内棒４により矢印Ａの方向に摺動自在に支持される。ブラケット９にはカム１０を固定したカム軸１１が回転自在に支持され、該カム軸１１の一端には歯車１２が固定され、該歯車１２はカム用モータ１３の軸に固定された歯車１４にかみあい、カム１０は減速駆動される。
　ブラケット９とステイプラ本体２との間にはばね４４が張設され、ステイプラ本体２はカム１０に押圧される。カム１０の回転によりステイプラ本体２は動かされ、用紙を綴じるときは用紙に向かって下降される。
　カム軸１１の他端にはエンコーダ１５が固定され、該エンコーダの動きをブラケット９に固定したセンサ１６により検出して１回転制御を行う。
　ブラケット９にはワイヤ１７の一端が官棲固定され、他端がばね１８を介して取付られている。ワイヤ１７は機枠４３に回転支持される駆動プーリー１９と従動プーリー２０に巻掛けられる。駆動プーリー１９は機枠４３に固定されたブラケット２１に回転支持される軸２２に固定され、該軸２２にはウォーム車等の歯車２３が固定される。歯車２３はブラケット２１に固定された第１モータ２４の出力軸に固定されるウォーム等の歯車２５とかみあう。駆動プーリー１９は第１モータ２４により減速駆動され、駆動プーリー１９によりワイヤ１７が動かされてブラケット９が移動される。ワイヤ１７は一端がばね１８を介してブラケット９に取付けられるため、駆動用プーリー１９とワイヤ１７との間にスリップを防止するに十分な張力がワイヤ１７に与えられる。第１モータ２４はステッピングモータとして形成される。
　クランチ部３の駆動機構もステイプラ本体２と同様に構成される。例えば機枠４３に固定された２本の第２案内棒２６に摺動案内されるブラケット２７にクランチ部３が固定され、必要によっては一体形成することもできる。ブラケット２７にはワイヤ２８の一端が固定され、ワイヤ２８の他端はばね２９を介してブラケット２７に固定される。ワイヤ２８は機枠４３に回転支持される駆動プーリー３０と従動プーリー３１に巻掛けられる。駆動プーリー３０は第２モータ３２に減速機３３を介して駆動される。減速機は歯車３５及び歯車３７を有し、歯車３５は例えばウォーム車よりなり、機枠４３に固定されるブラケット３４に回転支持される軸３６に固定される。軸３６には駆動プーリー３０が固定される。歯車３５にかみあう歯車３７は例えばウォームとして形成され、ブラケット３４に固定される第２モータ３２の駆動軸に固定される。
　第２モータ３２はステツピングモータとして形成される。
　クランチ部３は第２モータ３２の駆動により矢印Ｂの方向に案内軸２６に沿って往復駆動される。
　ステイプラ本体２を案内する２本の第１案内棒４及びクランチ部３を案内する２本の第２案内棒２６は夫々互いに平行であり、更に第１案内棒４と第２案内棒２６も互いに平行である。
　ステイプラ本体２とクランチ部３が個別に移動されるので、希望する綴じ位置ではステイプラ本体２とクランチ部３とが位置合わせられないとステイブラ針が綴じ不良を起こしたりする。ステイプラ本体２とクランチ部３との位置合わせはステイプラ本体２に固定された受光部７ａとクランチ部３に固定された発光部７ｂとよりなる位置合わせ部材により行う。
　ステイプラｌの用紙に対する綴じ位置の設定は、例えば、第１モータ２４によりステイプラ本体２を図の左方向に先ず移動し、ホームポジションセンサ３８により検知するホームポジションに移動し、その後ステツピングモータ２４に対するパルス信号のパルス数等により制御されて指定された位置に移動を停止する。次いで第２モータ３２によりクランチ部３が図の左方に移動され、ホームポジションセンサ２９により検知するホームポジションに移動し、その後反転してクランチ部３に設けた発光部材７ｂよりの光をステイプラ本体２に設けた受光部７ａが受光検知するまで移動し、検出位置で停止する。
　制御装置によっては、上記の如く一旦ホームポジションに戻った後指令位置に移動するのに対し、前回の位置を記憶しておき、次回の指令と位置のずれを演算して、直接その位置へ移動するように構成することも可能である。
　ステイプラ本体２とクランチ部３との間の位置合わせが終了後別の用紙検知センサにより、又は用紙検知と兼用する場合には前記発光部７ａと受光部７ｂによる検知センサにより用紙の存在を確認した後、カム用モータ１３を駆動する。カム用モータ１３の駆動によりカム１０を１回転することにより、ステイプラ本体２がクランチ部３に向かって下傾動し、当接してステイプル針を打ち込む。ステイプル針はクランチ部３により先端を曲げられ、用紙の綴じが行われる。ステイプル針の打ち込み後ステイプラ本体２は元の位置に上昇復帰し停止する。
　用紙の他の位置にステイプル綴じを行うときはステイプラ本体２及びクランチ部３の移動と、その移動方向と直交する方向の用紙の移動により用紙の所望の位置にステイプラ１を移動してステイプル針による綴じを行う。
　クランチ部３を一体形成したブラケット２７を第４図に示すようにステイプル針の先端を案内するクランチ凹部が異なった種類の２組のクランチ凹部４０ａと４０ｂを有し、第１のクランチ凹部４０ａを有するクランチ部のための発光部７ｂとしての第１発光部材４１と第２のクランチ凹部４０ｂを有するクランチ部のための発光部７ｂとしての第２発光部材４２とを有するクランチ部３′を形成したブラケット２７′を用いると、どちらのクランチ部にステイプル本体２を位置合わせするかによりステイプル針の綴じ状態を簡単に変更することができる。
　ステイプル針による綴じ状態としては例えば第５図ａ、ｂ、ｃに示すような種々の状態がある。夫々の綴じ状態に応じてクランチ凹部の形が変わってくる。第５図ａは用紙６をステイプル針４５の先端が内側に曲線状に曲がり込んで綴じる普通の綴じ状態を示し、第５図ｂはステイプル針４５の先端が外側に曲線状に曲がって綴じ、第５図ｃはステイプル針４５の先端が内側に直角に折れ曲がって綴じる状態を示す。
　第４図の１つのクランチ部に２種類又は多種類のクランチ凹部を設け、ステイプラ本体２の位置を切換えて使い分けるようにした例に対し、クランチ部には１種類のクランチ凹部しか形成されないが、異なった種類のクランチ凹部を有するクランチ部を複数個変換可能にブラケット２７に取付るようにして、使用しようとする綴じ状態に応じてクランチ部のみを交換するように形成することもできる。
〔効果〕
　本発明により、ステイプラの間を、つまりステイプラ本体とクランチ部との間を用紙が通過できるので、用紙のどの位置でも、用紙の送りとステイプラの移動をするだけで簡単にステイプルすることができ、用紙の送り方向を切換えたりしないですむので作業が簡単で、時間も短縮できた。
　本発明により、クランチ部を複数個交換することにより、又は複数の種類のクランチ凹部を有するクランチ部を用いることにより、簡単に、幾つかのステイプル針の先端折り曲げ形状を切換え利用することが可能になった。
　本発明により、ステイプル本体とクランチ部との間の位置決めを一度行えば、ステイプル位置の変更がない限り位置決め部材を使用することがないので、用紙有無の検出のセンサとして位置決め部材を兼用することが可能になり装置のコストの低減に役立つ。
　更に本発明により、組み立て時には装置の各部品の組み付け精度を高くしなくてもすむし、また一方の移動を完了してから他方の移動を行わせるようにしたので、両者の相対的な位置合わせを正確・確実にし、それによって一層確実に綴じ動作を行わせることができる。
【図面の簡単な説明】
　第１図は本発明に係るステイプラの略説明正面図、第２図は略説明側面図、第３図は本発明に係るステイプラの斜視図、第４図はクランチ部の変形例の斜視図、第５図はステイプル針の先端の折り曲げ状態を示す図で、（ａ）は曲線状に内側に、（ｂ）は曲線状に外側に、（ｃ）は直角に内側に折り曲げる状態を示す図、第６図は従来のステイプラの正面図、第７図は従来の用紙のステイプル位置を示す図で、（ａ）は１つの縁に沿って２ケ所に、（ｂ）は１つき隅部にステイプル位置がある場合を示す平面図である。
１…ステイプラ、　２…ステイプラ本体
３…クランチ部、　４…案内棒
２６…案内棒